(57)【要約】【課題】通信回線を介する入札システムにおいて、発注者による受注者選択を支援するために、受注者による発注者へのライブプレゼンテーションを実現する。【解決手段】Ｗｅｂサーバ３０に入札情報を送信し、ライブプレゼンテーションサーバ３１を介して受注者端末２０からライブプレゼンの映像・音声を受信し、端末２０に発注者側の映像・音声を送信する発注者端末１０と、サーバ３０に応札情報を送信し、サーバ３１を介して端末２０にプレゼンの映像・音声を送信し、端末２０から発注者側の映像・音声を受信する端末２０と、端末１０から入札情報を端末２０から応札情報を受信し、端末１０から発注対象の受注者決定情報を受信するサーバ３０と、端末２０から送信されてきた映像・音声を端末１０に送信し、端末１０から送信されてきた映像・音声を端末２０に送信するサーバ３１と、通信回線４０とを有するライブプレゼンテーション入札システム。【選択図】      図１
2004326669.tif 000002
【特許請求の範囲】
【請求項１】
通信回線を介して、発注者端末および受注者端末から送信されてきた映像・音声を交換し、それぞれの端末に送信するライブプレゼンテーション入札システムであって、
カメラ，マイク，スピーカを備え、Ｗｅｂサーバに入札情報を送信し、かつ、ライブプレゼンテーションサーバを介して、前記受注者端末からライブプレゼンテーションの映像・音声を受信するとともに、前記受注者端末に発注者側の映像・音声を送信する前記発注者端末と、
カメラ，マイク，スピーカを備え、前記Ｗｅｂサーバに応札情報を送信し、かつ、前記ライブプレゼンテーションサーバを介して、前記発注者端末に前記ライブプレゼンテーションの映像・音声を送信するとともに、前記発注者端末から前記発注者側の映像・音声を受信する前記受注者端末と、
ライブプレゼンテーション入札サービスを提供するホームページを通信回線を介してアクセス可能化し、前記発注者端末から前記入札情報を受信するとともに、当該入札情報を前記ホームページに設定し、前記受注者端末から応札情報を受信し、かつ、前記発注者端末から発注対象の受注者決定情報を受信する前記Ｗｅｂサーバと、
前記受注者端末から送信されてきた映像・音声を前記発注者端末に送信するとともに、前記発注者端末から送信されてきた映像・音声を前記受注者端末に送信する前記ライブプレゼンテーションサーバと、
前記発注者端末、前記受注者端末、前記Ｗｅｂサーバ、および前記ライブプレゼンテーションサーバを接続する通信回線と、を有する
ことを特徴とするライブプレゼンテーション入札システム。
【請求項２】
前記ライブプレゼンテーション入札システムが、発注者に提示するためのプレゼンテーション資料を記憶する資料サーバを有し、
前記資料サーバが、前記受注者端末から送信されてきた前記プレゼンテーション資料を記憶するとともに、前記受注者端末から前記Ｗｅｂサーバを介して送信されてきたプレゼンテーション資料の提示要求にもとづいてライブプレゼンテーションサーバに前記プレゼンテーション資料を送信し、
前記ライブプレゼンテーションサーバが、前記プレゼンテーション資料を前記発注者端末および前記受注者端末に送信する
ことを特徴とする請求項１記載のライブプレゼンテーション入札システム。
【請求項３】
前記ライブプレゼンテーション入札システムが、ユーザＩＤおよびパスワードにもとづいて、ユーザ認証を実行するユーザ認証サーバを有し、
前記ユーザ認証サーバが、前記発注者端末から前記Ｗｅｂサーバを介して送信されてきた発注者情報を登録し、当該発注者のユーザＩＤおよびパスワードを発行して前記発注者端末に送信するとともに、前記受注者端末から前記Ｗｅｂサーバを介して送信されてきた受注者情報を登録し、当該受注者のユーザＩＤおよびパスワードを発行して前記受注者端末に送信し、かつ、前記発注者端末または前記受注者端末から、前記Ｗｅｂサーバを介して前記ユーザＩＤおよび前記パスワードが送信されてくると、前記ユーザ認証を実行する
ことを特徴とする請求項１または２記載のライブプレゼンテーション入札システム。
【請求項４】
前記Ｗｅｂサーバが、前記受注者端末から送信されてきた前記ライブプレゼンテーション予約情報を登録し、当該ライブプレゼンテーション予約情報と前記受注者情報を前記発注者端末に送信する
ことを特徴とする請求項１〜３のいずれかに記載のライブプレゼンテーション入札システム。
【請求項５】
前記ライブプレゼンテーションサーバが、前記Ｗｅｂサーバを介して、前記発注者端末または前記受注者端末からのプレゼンテーション選択情報を受信すると、それぞれの端末にライブライブプレゼンテーション用ソフトウェアを送信する
ことを特徴とする請求１〜４のいずれかに記載のライブプレゼンテーション入札システム。
【請求項６】
前記Ｗｅｂサーバが、前記発注者端末から前記受注者決定情報を受信し、かつ、前記受注者端末から受注了解情報を受信すると、前記発注者端末および前記受注者端末に発注・受注了解確認情報を送信する
ことを特徴とする請求項１〜５のいずれかに記載のライブプレゼンテーション入札システム。
【請求項７】
入札サービス提供装置が、通信回線を介して、発注者端末および受注者端末から送信されてきた映像・音声を交換し、それぞれの端末に送信するライブプレゼンテーション入札方法であって、
前記入札サービス提供装置が、ライブプレゼンテーション入札サービスを提供するホームページを通信回線を介してアクセス可能化し、
前記発注者端末が、前記入札サービス提供装置に入札情報を送信し、
前記入札サービス提供装置が、前記入札情報を前記ホームページ上に設定し、
前記受注者端末が、前記入札サービス提供装置に応札情報およびライブプレゼンテーション予約情報を送信し、
前記発注者端末および前記受注者端末が、前記入札サービス提供装置により提供されるライブプレゼンテーション画面へアクセスすると、前記入札サービス提供装置が、ライブプレゼンテーション用ソフトウェアを前記発注者端末および前記受注者端末に送信し、前記発注者端末から送信されてきた映像・音声を前記受注者端末に送信するとともに、前記受注者端末から送信されてきた映像・音声を前記発注者端末に送信し、
前記入札サービス提供装置が、前記発注者端末から受注者決定情報を受信し、かつ、前記受注者端末から受注了解情報を受信すると、前記発注者端末および前記受注者端末に発注・受注了解確認情報を送信する
ことを特徴とするライブプレゼンテーション入札方法。
【請求項８】
前記発注者端末が、前記入札サービス提供装置に入札仕様情報を登録し、
前記受注者端末が、前記入札サービス提供装置から前記入札仕様情報を受信し、
前記受注者端末が、前記入札サービス提供装置にプレゼンテーション資料を登録し、
前記入札サービス提供装置が、前記受注者端末からのプレゼンテーション資料の提示要求に応じて、前記プレゼンテーション資料を前記発注者端末および前記受注者端末に送信する
ことを特徴とする請求項７記載のライブプレゼンテーション入札方法。
【請求項９】
入札サービス提供装置に、通信回線を介して、発注者端末および受注者端末から送信されてきた映像・音声を交換させ、それぞれの端末に送信させるライブプレゼンテーション入札プログラムであって、
前記入札サービス提供装置に、
ライブプレゼンテーション入札サービスを提供するホームページを通信回線を介してアクセス可能化させ、
前記発注者端末から送信されてきた前記入札情報を前記ホームページ上に設定させ、
前記受注者端末から送信されてきた前記応札情報およびライブプレゼンテーション予約情報を登録させて、
前記発注者端末または前記受注者端末からプレゼンテーション選択情報が送信されてくると、それぞれの端末へライブプレゼンテーション用ソフトウェアを送信させ、前記発注者端末から送信されてきた映像・音声を前記受注者端末へ送信させるとともに、前記受注者端末から送信されてきた映像・音声を前記発注者端末へ送信させ、
前記発注者端末から受注者決定情報が、前記受注者端末から受注了解情報が送信されてくると、前記発注者端末および前記受注者端末へ発注・受注了解確認情報を送信させる
ことを実行させるためのライブプレゼンテーション入札プログラム。
【請求項１０】
通信回線を介して、発注者端末および受注者端末から送信されてきた映像・音声を交換し、それぞれの端末に送信する入札サービス提供装置であって、
ライブプレゼンテーション入札サービスを提供するホームページを通信回線を介してアクセス可能化するとともに、前記発注者端末から送信されてきた前記入札情報を前記ホームページ上に設定し、前記受注者端末から送信されてきた前記応札情報およびライブプレゼンテーション予約情報を登録して、前記発注者端末または前記受注者端末からライブプレゼンテーション画面へのアクセスを受けると、それぞれの端末にライブプレゼンテーション用ソフトウェアを送信し、前記発注者端末から送信されてきた映像・音声を前記受注者端末に送信するとともに、前記受注者端末から送信されてきた映像・音声を前記発注者端末に送信し、前記発注者端末から受注者決定情報を受信し、かつ、前記受注者端末から受注了解情報を受信すると、前記発注者端末および前記受注者端末に発注・受注了解確認情報を送信する
ことを特徴とする入札サービス提供装置。
【請求項１１】
前記発注者端末から送信されてきた入札仕様情報を登録するとともに、前記受注者端末からの入札仕様情報の提示要求に応じて、前記入札仕様情報を前記受注者端末に送信し、
前記受注者端末から送信されてきたプレゼンテーション資料を登録するとともに、前記受注者端末からのライブプレゼンテーションサーバ資料の提示要求に応じて、前記プレゼンテーション資料を前記発注者端末および前記受注者端末に送信する
ことを特徴とする請求項１０記載の入札サービス提供装置。
【請求項１２】
前記発注者端末または前記受注者端末からのプレゼンテーション選択情報を受信すると、それぞれの端末にライブライブプレゼンテーション用ソフトウェアを送信する
ことを特徴とする請求項１０または１１記載の入札サービス提供装置。
【発明の詳細な説明】
【０００１】
【発明の属する技術分野】
本発明は、通信回線を介する入札システムにおいて、発注者による受注者選択を支援するために、受注者による発注者へのライブプレゼンテーションを実現するライブプレゼンテーション入札システム、方法、プログラム、および入札サービス提供装置に関する。
【０００２】
【従来の技術】
従来、公共事業の発注や、企業間取引において、発注者が入札仕様を公開し、これに応札した者の中から受注者が決定される入札方式が広く一般的に行われている。
また、このような入札方式は、近年の通信技術の発展に伴って、インターネットを介して実現されており、企業間取引等のみならず、個人売買にいたるまで、様々な形態で広く行われている（例えば、特許文献１〜３参照。）。
【０００３】
図１６は、このような従来のインターネット上で行われている入札サービスの一般的なシステムの構成例を示している。
同図に示すように、従来の入札システムは、発注者端末１００，受注者端末２００（２００−１〜２００−ｎ），Ｗｅｂサーバ３００，資料サーバ３０１，ユーザ認証サーバ３０２，通信回線４００を有している。
【０００４】
発注者端末１００は、発注者Ａが使用する端末であり、受注者端末２００は、受注者Ｂ（受注者Ｂ１〜Ｂｎ）が使用する端末である。
また、Ｗｅｂサーバ３００，資料サーバ３０１，ユーザ認証サーバ３０２は、入札サービスを提供する事業者により管理される情報処理装置である。Ｗｅｂサーバ３００は、入札サービスを提供するホームページをインターネット上に提供し、資料サーバ３０１は、発注者の入札仕様情報、および受注者が応札時に発注者に対して提示する応札金額，提案書，資料等を蓄積し、ユーザ認証サーバ３０２は、発注者および受注者のユーザ認証を行う。
【０００５】
発注者Ａは、発注者端末１００を用いて、通信回線４００を介して入札サービスを行う事業者のＷｅｂサーバ３００にアクセスし、ユーザ認証サーバ３０２の行う認証を受けた上で、資料サーバ３０１に入札仕様情報を登録する。
入札サービス提供事業者は、発注者により登録された入札仕様情報を、Ｗｅｂサーバ３００により、通信回線４００上で公開し、入札に参加する受注者を募集する。
受注者Ｂは、受注者端末２００により、通信回線４００を介してＷｅｂサーバ３００を検索し、入札情報を得ることができる。そして、ユーザ認証サーバ３０２により、応札するための認証を受けて、Ｗｅｂサーバ３００において入札に応じることができる。その際、発注者Ａから、入札の参加に伴って資料等の提出が要求されていれば、Ｗｅｂサーバ３００を介して、応札のための資料を資料サーバ３０１に送信して蓄積する。
【０００６】
入札サービス提供事業者は、このように発注者Ａの入札提示に応札してきた受注者Ｂの応札金額および資料を、発注者Ａに提示し、発注者Ａが受注者を決定した後、受注を獲得した受注者に対して受注確定の通知をＷｅｂサーバ３００から受注者端末２００に送信することにより入札サービスを行うことが可能となっている。
【０００７】
【特許文献１】
特開２００２−３４２６１３号公報
【特許文献２】
特開２００２−１５７４７７号公報
【特許文献３】
特開２００２−９９７７７号公報
【０００８】
【発明が解決しようとする課題】
しかしながら、従来の入札システムによれば、発注者は、受注者の決定にあたり、応札金額やその他の資料のみにもとづいて、受注者を決定することとなるため、必ずしも発注者にとって最適の受注者が決定されるとは限らないという問題があった。
すなわち、応札金額のみにもとづいて登録対象の受注者を自動的に決定する方法や、応札金額，提案書，資料等にもとづいて登録対象の受注者を決定する方法を用いたとしても、数値や文字に表わすことのできない受注者のやる気や意気込みなど入札に対する意識を、発注者は的確に捉えることができないという問題があった。
また、登録されたデータのみにもとづく入札の場合、受注者が入札仕様について勘違いをしたり、発注者が受注者により提供された応札金額，提案書，資料等に対して思い込みや勘違いをしたまま入札が行われる場合があるという問題もあった。
【０００９】
これに対して、応札にあたり、受注者が発注者に対して、応札金額や資料等を提示するのみならず、ライブプレゼンテーションを行うことを可能とすれば、受注者は発注者に対して入札に対する自己の提案を直接訴えることが可能になる。
また、応札にあたり、このようなライブプレゼンテーションを行うことを可能とすれば、発注者にとっても、受注者のプレゼンテーションを直接聞くことによって、応札金額や資料等には表れない受注者の意志を把握することが可能となる。
さらに、相互の質疑応答を行うことによって、入札仕様や応札提案に対する両者の思い込みや、理解の違いを明確化することも可能になる。
【００１０】
本発明は、上記の事情にかんがみなされたものであり、通信回線を介する入札システムにおいて、発注者による受注者選択を支援するために、受注者による発注者へのライブプレゼンテーションを実現するライブプレゼンテーション入札システム、方法、プログラム、および入札サービス提供装置の提供を目的とする。
すなわち、本発明は、従来の対面型の入札プロセスに、発注者が受注者からライブプレゼンテーションを伴う応札を受けることにより、受注者の提案をより良く理解し、最適な提案を受け入れることを可能とするプロセスを取り入れ、より進んだインターネット上での入札を可能とするものである。
【００１１】
【課題を解決するための手段】
上記目的を達成するため、本発明の請求項１記載のライブプレゼンテーション入札システムは、通信回線を介して、発注者端末および受注者端末から送信されてきた映像・音声を交換し、それぞれの端末に送信するライブプレゼンテーション入札システムであって、カメラ，マイク，スピーカを備え、Ｗｅｂサーバに入札情報を送信し、かつ、ライブプレゼンテーションサーバを介して、受注者端末からライブプレゼンテーションの映像・音声を受信するとともに、受注者端末に発注者側の映像・音声を送信する発注者端末と、カメラ，マイク，スピーカを備え、Ｗｅｂサーバに応札情報を送信し、かつ、ライブプレゼンテーションサーバを介して、発注者端末にライブプレゼンテーションの映像・音声を送信するとともに、発注者端末から発注者側の映像・音声を受信する受注者端末と、ライブプレゼンテーション入札サービスを提供するホームページを通信回線を介してアクセス可能化し、発注者端末から入札情報を受信するとともに、当該入札情報をホームページに設定し、受注者端末から応札情報を受信し、かつ、発注者端末から発注対象の受注者決定情報を受信するＷｅｂサーバと、受注者端末から送信されてきた映像・音声を発注者端末に送信するとともに、発注者端末から送信されてきた映像・音声を受注者端末に送信するライブプレゼンテーションサーバと、発注者端末、受注者端末、Ｗｅｂサーバ、およびライブプレゼンテーションサーバを接続する通信回線と、を有する構成としてある。
【００１２】
ライブプレゼンテーション入札システムをこのような構成にすれば、通信回線を介した入札において、受注者による発注者に対するライブプレゼンテーションを実現することが可能となる。
従来、インターネット上で行われている入札において、発注者と受注者のやり取りは、金額や資料の提示のみであり、発注者が受注者の提案について直接コミュニケーションを取りながら受注者を決定することはできなかった。
しかし、本システムを利用することにより、発注者は金額や資料だけで受注者を決定するのではなく、受注者の行うライブプレゼンテーションと直接の質疑応答を踏まえて、最良な受注者を決定することが可能となる。
【００１３】
また、本システムによれば、発注者および受注者は、遠隔地にいながら、ライブでのプレゼンテーションを受け、あるいは行うことができる。
すなわち、インターネットを用いた入札の効果として、発注者と受注者の存在する場所に関係なく、入札が行える点があるが、本システムによればその効果を損ねることなく、遠隔地に存在する発注者と受注者のコミュニケーションを映像と音声を用いて実現することが可能となる。
【００１４】
さらに、このようなライブプレゼンテーションを実現することによって、発注者と受注者のコミュニケーションを即座に確立することが可能となる。
従来の入札システムにおいて、入札に伴う資料の提示やメールのやりとりは、発注者と受注者の間で時間的な差が生じるものであった。
しかし、本システムによれば、発注者と受注者がライブでコミュニケーションを取ることができるため、発注者が受注者を選択するにあたって重要になる受注者の提案に対する質問などを即座に行うことが可能となる。
なお、ライブプレゼンテーションサーバによる通信回線への接続は、Ｗｅｂサーバを介するものであってもよく、発注者端末および受注者端末の映像・音声の送受信は、Ｗｅｂサーバを介する場合を含むものとして用いている。
【００１５】
本発明の請求項２記載のライブプレゼンテーション入札システムは、ライブプレゼンテーション入札システムが、発注者に提示するためのプレゼンテーション資料を記憶する資料サーバを有し、資料サーバが、受注者端末から送信されてきたプレゼンテーション資料を記憶するとともに、受注者端末からＷｅｂサーバを介して送信されてきたプレゼンテーション資料の提示要求にもとづいてライブプレゼンテーションサーバにプレゼンテーション資料を送信し、ライブプレゼンテーションサーバが、プレゼンテーション資料を発注者端末および受注者端末に送信する構成としてある。
【００１６】
ライブプレゼンテーション入札システムをこのような構成にすれば、発注者および受注者は、ライブプレゼンテーションにおいて、受注者のプレゼンテーション資料（応札提案資料）を画面上で参照することができる。
このため、受注者は、発注者に対して、ライブプレゼンテーションの実行にあたり、プレゼンテーション資料を参照させながら説明を行うことが可能となる。
【００１７】
本発明の請求項３記載のライブプレゼンテーション入札システムは、ライブプレゼンテーション入札システムが、ユーザＩＤおよびパスワードにもとづいて、ユーザ認証を実行するユーザ認証サーバを有し、ユーザ認証サーバが、発注者端末からＷｅｂサーバを介して送信されてきた発注者情報を登録し、当該発注者のユーザＩＤおよびパスワードを発行して発注者端末に送信するとともに、受注者端末からＷｅｂサーバを介して送信されてきた受注者情報を登録し、当該受注者のユーザＩＤおよびパスワードを発行して受注者端末に送信し、かつ、発注者端末または受注者端末から、Ｗｅｂサーバを介してユーザＩＤおよびパスワードが送信されてくると、ユーザ認証を実行する構成としてある。
【００１８】
ライブプレゼンテーション入札システムをこのような構成にすれば、発注者または受注者が、それぞれの端末によりライブプレゼンテーション入札サービスを利用するにあたり、適切にユーザ認証を実行することができ、本入札サービスのセキュリティを確保することが可能となる。
【００１９】
本発明の請求項４記載のライブプレゼンテーション入札システムは、Ｗｅｂサーバが、受注者端末から送信されてきたライブプレゼンテーション予約情報を登録し、当該ライブプレゼンテーション予約情報と受注者情報を発注者端末に送信する構成としてある。
【００２０】
ライブプレゼンテーション入札システムをこのような構成にすれば、受注者は、応札にあたり、ライブプレゼンテーションを行う日時を予約し、これを発注者側に送信することができる。
そして、この予約された日時に、発注者および受注者が、Ｗｅｂサーバにより提供されるライブプレゼンテーション画面にアクセスすることによって、ライブプレゼンテーションを行うことが可能となる。
【００２１】
本発明の請求項５記載のライブプレゼンテーション入札システムは、ライブプレゼンテーションサーバが、Ｗｅｂサーバを介して、発注者端末または受注者端末からのプレゼンテーション選択情報を受信すると、それぞれの端末にライブライブプレゼンテーション用ソフトウェアを送信する構成としてある。
【００２２】
ライブプレゼンテーション入札システムをこのような構成にすれば、ライブプレゼンテーション実行時に、ライブプレゼンテーションを行うためのソフトウェアをライブプレゼンテーションサーバから発注者端末および受注者端末に送信することが可能となる。
すなわち、発注者端末および受注者端末において、あらかじめライブプレゼンテーションを行うための特別なソフトウェアを保有させておく必要がないため、発注者または受注者は、一般的な情報処理装置を発注者端末または受注者端末として用いて、本発明におけるライブプレゼンテーションを容易に行うことが可能となる。
なお、プレゼンテーション選択情報とは、ライブプレゼンテーションを特定するための情報であり、例えば、一又は二以上のライブプレゼンテーション予約情報を表示する画面から一のライブプレゼンテーションを選択入力することによって、発注者端末または受注者端末からＷｅｂサーバを介してライブプレゼンテーションサーバに送信することのできる情報を意味している。
【００２３】
本発明の請求項６記載のライブプレゼンテーション入札システムは、Ｗｅｂサーバが、発注者端末から受注者決定情報を受信し、かつ、受注者端末から受注了解情報を受信すると、発注者端末および受注者端末に発注・受注了解確認情報を送信する構成としてある。
【００２４】
ライブプレゼンテーション入札システムをこのような構成にすれば、受注者の確定を、発注者および受注者の双方の確認を取った上で、発注者および受注者の双方に通知することができ、入札を的確に終了することが可能となる。
【００２５】
本発明の請求項７記載のライブプレゼンテーション入札方法は、入札サービス提供装置が、通信回線を介して、発注者端末および受注者端末から送信されてきた映像・音声を交換し、それぞれの端末に送信するライブプレゼンテーション入札方法であって、入札サービス提供装置が、ライブプレゼンテーション入札サービスを提供するホームページを通信回線を介してアクセス可能化し、発注者端末が、入札サービス提供装置に入札情報を送信し、入札サービス提供装置が、入札情報をホームページ上に設定し、受注者端末が、入札サービス提供装置に応札情報およびライブプレゼンテーション予約情報を送信し、発注者端末および受注者端末が、入札サービス提供装置により提供されるライブプレゼンテーション画面へアクセスすると、入札サービス提供装置が、ライブプレゼンテーション用ソフトウェアを発注者端末および受注者端末に送信し、発注者端末から送信されてきた映像・音声を受注者端末に送信するとともに、受注者端末から送信されてきた映像・音声を発注者端末に送信し、入札サービス提供装置が、発注者端末から受注者決定情報を受信し、かつ、受注者端末から受注了解情報を受信すると、発注者端末および受注者端末に発注・受注了解確認情報を送信する方法としてある。
【００２６】
ライブプレゼンテーション入札方法をこのような方法にすれば、通信回線を介した入札において、受注者による発注者に対するライブプレゼンテーションを実現することができる。
このため、発注者は金額や資料だけで受注者を決定するのではなく、受注者の行うライブプレゼンテーションと直接の質疑応答を踏まえて、最良な受注者を決定することが可能となる。
【００２７】
本発明の請求項８記載のライブプレゼンテーション入札方法は、発注者端末が、入札サービス提供装置に入札仕様情報を登録し、受注者端末が、入札サービス提供装置から入札仕様情報を受信し、受注者端末が、入札サービス提供装置にプレゼンテーション資料を登録し、入札サービス提供装置が、受注者端末からのプレゼンテーション資料の提示要求に応じて、プレゼンテーション資料を発注者端末および受注者端末に送信する方法としてある。
【００２８】
ライブプレゼンテーション入札方法をこのような方法にすれば、発注者および受注者は、ライブプレゼンテーションにおいて、受注者のプレゼンテーション資料を画面上で参照することができ、受注者は、発注者に対して、ライブプレゼンテーションの実行にあたり、プレゼンテーション資料を参照させながら説明を行うことが可能となる。
【００２９】
本発明の請求項９記載のライブプレゼンテーション入札プログラムは、入札サービス提供装置に、通信回線を介して、発注者端末および受注者端末から送信されてきた映像・音声を交換させ、それぞれの端末に送信させるライブプレゼンテーション入札プログラムであって、入札サービス提供装置に、ライブプレゼンテーション入札サービスを提供するホームページを通信回線を介してアクセス可能化させ、発注者端末から送信されてきた入札情報をホームページ上に設定させ、受注者端末から送信されてきた応札情報およびライブプレゼンテーション予約情報を登録させて、発注者端末または受注者端末からプレゼンテーション選択情報が送信されてくると、それぞれの端末へライブプレゼンテーション用ソフトウェアを送信させ、発注者端末から送信されてきた映像・音声を受注者端末へ送信させるとともに、受注者端末から送信されてきた映像・音声を発注者端末へ送信させ、発注者端末から受注者決定情報が、受注者端末から受注了解情報が送信されてくると、発注者端末および受注者端末へ発注・受注了解確認情報を送信させる構成としてある。
【００３０】
ライブプレゼンテーション入札プログラムをこのような構成にすれば、入札サービス提供装置に、通信回線を介した入札において、受注者による発注者に対するライブプレゼンテーションを実現させることができ、発注者は金額や資料だけで受注者を決定するのではなく、受注者の行うライブプレゼンテーションと直接の質疑応答を踏まえて、最良な受注者を決定することが可能となる。
【００３１】
本発明の請求項１０記載の入札サービス提供装置は、通信回線を介して、発注者端末および受注者端末から送信されてきた映像・音声を交換し、それぞれの端末に送信する入札サービス提供装置であって、ライブプレゼンテーション入札サービスを提供するホームページを通信回線を介してアクセス可能化するとともに、発注者端末から送信されてきた入札情報をホームページ上に設定し、受注者端末から送信されてきた応札情報およびライブプレゼンテーション予約情報を登録して、発注者端末または受注者端末からライブプレゼンテーション画面へのアクセスを受けると、それぞれの端末にライブプレゼンテーション用ソフトウェアを送信し、発注者端末から送信されてきた映像・音声を受注者端末に送信するとともに、受注者端末から送信されてきた映像・音声を発注者端末に送信し、発注者端末から受注者決定情報を受信し、かつ、受注者端末から受注了解情報を受信すると、発注者端末および受注者端末に発注・受注了解確認情報を送信する構成としてある。
【００３２】
入札サービス提供装置をこのような構成にすれば、受注者端末から送信されてきた映像および音声を発注者端末に送信するとともに、発注者端末から送信されてきた映像および音声を受注者端末に送信して、それぞれの端末においてライブプレゼンテーション画面上でこれを参照することを可能とすることができる。
このため、受注者は、発注者に対して、応札金額および提案書等だけでなく、直接提案内容を説明することができるため、提案書などでは説明しずらい内容についても適切に説明することが可能となる。
また、発注者にとっても、提案書などに表れない受注者の意気込みなどを把握することができるとともに、提案内容などについて直接質問を行うことができ、提案内容に関する誤解や勘違いなどをしたまま受注者を決定することを防止して、最適な受注者を決定することが可能となる。
【００３３】
本発明の請求項１１記載の入札サービス提供装置は、発注者端末から送信されてきた入札仕様情報を登録するとともに、受注者端末からの入札仕様情報の提示要求に応じて、入札仕様情報を受注者端末に送信し、受注者端末から送信されてきたプレゼンテーション資料を登録するとともに、受注者端末からのライブプレゼンテーションサーバ資料の提示要求に応じて、プレゼンテーション資料を発注者端末および受注者端末に送信する構成としてある。
【００３４】
入札サービス提供装置をこのような構成にすれば、ライブプレゼンテーション実行時に、受注者により登録されたプレゼンテーション資料を、発注者端末および受注者端末に送信することができ、ライブプレゼンテーション画面上でこれを参照可能とすることができる。
これにより、受注者は、プレゼンテーション資料を用いて、提案内容を効果的に説明することができ、発注者も、プレゼンテーション資料と受注者を参照しながら、説明を受けることができ、より適切に提案内容を把握することが可能となる。
【００３５】
本発明の請求項１２記載の入札サービス提供装置は、発注者端末または受注者端末からのプレゼンテーション選択情報を受信すると、それぞれの端末にライブライブプレゼンテーション用ソフトウェアを送信する構成としてある。
【００３６】
入札サービス提供装置をこのような構成にすれば、ライブプレゼンテーションの実行にあたって、発注者端末および受注者端末にライブプレゼンテーション用のソフトウェアを送信し、これを用いてそれぞれの端末に映像および音声の送受信を実行させることができる。
このため、このようなソフトウェアをあらかじめインストールした特別な情報処理装置でなくとも、発注者端末または受注者端末として容易に使用することが可能となる。
【００３７】
【発明の実施の形態】
以下、本発明の実施形態につき、図面を参照して説明する。
［第一実施形態］
まず、本発明の第一実施形態の構成について、図１を参照して説明する。同図は、本実施形態のライブプレゼンテーション入札システムの構成を示すブロック図である。
【００３８】
［ライブプレゼンテーション入札システム］
図１に示すように、本実施形態のライブプレゼンテーション入札システムは、発注者端末１０，受注者端末２０（２０−１〜２０−ｎ），Ｗｅｂサーバ３０，ライブプレゼンテーションサーバ３１，資料サーバ３２，ユーザ認証サーバ３３，通信回線４０を有している。
【００３９】
［発注者端末１０］
発注者端末１０は、発注者Ａにより使用される情報処理装置であり、パーソナルコンピュータやＰＤＡ、モバイルツール、携帯電話機等を使用することができる。
同図に示すように、発注者端末１０にはカメラ１１、マイク１２、およびスピーカ１３が接続されている。
【００４０】
発注者端末１０は、ブラウザにより通信回線４０を介して、ライブプレゼンテーション入札サービス提供事業者のＷｅｂサーバ３０にアクセスし、このＷｅｂサーバ３０により提供されるホームページを受信して表示することができる。そして、このホームページから発注者の情報をＷｅｂサーバ３０に送信して登録することができる。さらに、複数の任意のメディア形式からなる入札仕様をＷｅｂサーバ３０に送信して、資料サーバ３２に登録することができる。
さらに、発注者端末１０は、プレゼンテーション選択情報をライブプレゼンテーションサーバ３１に送信することにより、ライブプレゼンテーションサーバ３１から自動的にライブプレゼンテーションに必要なアプリケーションソフトウェアをダウンロードし、このソフトウェアにより、カメラ１１から入力した映像と、マイク１２から入力した音声をライブプレゼンテーションサーバ３１に送信する。
また、ライブプレゼンテーションサーバ３１を介して送信されてきた受注者端末２０からの映像を表示し、音声をスピーカ１３から出力する。
【００４１】
［受注者端末２０］
受注者端末２０は、受注者Ｂにより使用される情報処理装置であり、発注者端末１０と同様にパーソナルコンピュータやＰＤＡ、モバイルツール、携帯電話機等を使用することができる。
図１に示すように、受注者端末２０にはカメラ２１（２１−１〜２１−ｎ）、マイク２２（２２−１〜２２−ｎ）、およびスピーカ２３（２３−１〜２３−ｎ）が接続されている。
【００４２】
受注者端末２０は、ブラウザにより通信回線４０を介して、ライブプレゼンテーション入札サービス提供事業者のＷｅｂサーバ３０にアクセスし、このＷｅｂサーバ３０により提供されるホームページを受信して、入札案件を表示することができる。
そして、受注者端末２０は、受注者の情報をＷｅｂサーバ３０に送信して登録することができるとともに、応札金額等をＷｅｂサーバ３０に送信して登録することにより応札することができる。さらに、プレゼンテーション資料をＷｅｂサーバ３０に送信し、資料サーバ３２に登録することもできる。
【００４３】
また、発注者端末１０と同様に、ライブプレゼンテーションサーバ３１からライブプレゼンテーション用ソフトウェアをダウンロードし、このソフトウェアにより、カメラ２１から入力した映像と、マイク２２から入力した音声をライブプレゼンテーションサーバ３１に送信し、ライブプレゼンテーションサーバ３１を介して送信されてきた発注者端末１０からの映像を表示するとともに、音声をスピーカ２３から出力する。
【００４４】
［Ｗｅｂサーバ３０］
Ｗｅｂサーバ３０は、ライブプレゼンテーション入札サービス提供事業者により管理される情報処理装置であり、ワークステーションやサーバ等を用いることができる。このＷｅｂサーバ３０は、通信回線４０に接続され、インターネット上にホームページを公開し、ライブプレゼンテーションを用いた入札サービスの提供を行う。
Ｗｅｂサーバ３０は、このホームページにおいて、発注者の募集を表示する。そして、入札を希望する発注者により、発注者端末１０から送信されてきた入札情報を登録する。また、発注者端末１０から送信されてきた入札仕様情報を資料サーバ３２に登録する。
さらに、Ｗｅｂサーバ３０は、受注者端末２０から送信されてきた応札情報を登録するとともに、受注者端末２０から送信されてきたプレゼンテーション資料を資料サーバ３２に登録する。
また、ライブプレゼンテーションサーバ３１および資料サーバ３２と、通信回線４０との情報の送受信を中継する。
【００４５】
［ライブプレゼンテーションサーバ３１］
ライブプレゼンテーションサーバ３１は、発注者端末１０と受注者端末２０から送信されてくる映像（動画）および音声を相互に交換するとともに、発注者端末１０から送信されてきた映像および音声を受注者端末２０に、受注者端末２０から送信されてきた映像および音声を発注者端末１０にそれぞれ送信する。
また、発注者端末１０および受注者端末２０がプレゼンテーションの選択情報をＷｅｂサーバ３０に送信し、Ｗｅｂサーバ３０に対してライブプレゼンテーション画面の表示要求を送信すると、ライブプレゼンテーションサーバ３１は、発注者端末１０および受注者端末２０に対して、ライブプレゼンテーションに必要なアプリケーションソフトウェアを自動的にダウンロードする。このダウンロードされたアプリケーションソフトウェアは、発注者端末１０および受注者端末２０において自動的に起動し、上記映像・音声の交換を可能とする。
さらに、ライブプレゼンテーションサーバ３１は、ライブプレゼンテーション実行中に、受注者端末２０からの（Ｗｅｂサーバ３０を介する）プレゼンテーションの提示要求により、資料サーバ３２からプレゼンテーション資料を受信して、発注者端末１０および受注者端末２０に（Ｗｅｂサーバ３０を介して）送信することにより、このプレゼンテーション資料をライブプレゼンテーション画面に表示する。
【００４６】
［資料サーバ３２］
資料サーバ３２は、入札仕様情報およびプレゼンテーション資料を登録して管理する。
入札仕様情報は、発注者Ａにより、発注者端末１０からＷｅｂサーバ３０を介して送信される入札を行う上で必要な入札条件等の資料であり、応札してくる受注者に対して提示されるものである。
プレゼンテーション資料は、受注者Ｂにより、受注者端末２０からＷｅｂサーバ３０を介して送信されるものであり、ライブプレゼンテーションにおいて、発注者端末１０および受注者端末２０の双方に送信されて、映像および音声とともに、ライブプレゼンテーション画面上で表示され、応札提案の説明に使用されるものである。
【００４７】
［ユーザ認証サーバ３３］
ユーザ認証サーバ３３は、Ｗｅｂサーバ３０によりインターネット上に公開されているライブプレゼンテーション入札サービス提供事業者のホームページから登録された発注者および受注者の情報（会社名，会社概要，規模，所在地，登録者連絡先，入札サービス手数料支払い方法等）を管理する。
また、ユーザ認証サーバ３３は、ユーザＩＤ（以下、発注者のユーザＩＤを発注者ＩＤと、受注者のユーザＩＤを受注者ＩＤと称する場合がある。）とパスワードを発行して、発注者による入札時、または受注者による応札時に、発注者端末１０または受注者端末２０からＷｅｂサーバ３０を介して送信されてきたユーザＩＤおよびパスワードが、ユーザ認証サーバ３３に登録されているか否かを検索して認証を行う。
【００４８】
なお、上記Ｗｅｂサーバ３０，ライブプレゼンテーションサーバ３１，資料サーバ３２，ユーザ認証サーバ３３は、それぞれ別個のサーバとしているが、これらそれぞれの機能を統合し、一台のサーバ（入札サービス提供装置）としてもよい。また、これらのうち一部のサーバを統合したり、機能の切り分けを変更して、ことなるサーバ群として構成することも可能である。
さらに、図１においては、ライブプレゼンテーションサーバ３１，資料サーバ３２，ユーザ認証サーバ３３は、Ｗｅｂサーバ３０を介して通信回線４０に接続されているが、Ｗｅｂサーバ３０を経由することなく直接通信回線４０に接続する構成とすることももちろん可能である。
【００４９】
［通信回線４０］
通信回線４０は、従来公知の任意好適な公衆回線、商業回線又は専用回線を用いることができる。また発注者端末１０，各受注者端末２０，Ｗｅｂサーバ３０のそれぞれの間においては、同一又は別個の通信回線で構成することができる。
さらに、通信回線４０は、発注者端末１０，各受注者端末２０，Ｗｅｂサーバ３０のそれぞれの間を、無線あるいは有線で接続可能な回線であり、例えば、公衆回線網、専用回線網、インターネット回線網およびイントラネット網により構成することができる。
【００５０】
［ライブプレゼンテーション入札システムにおける処理の概要］
次に、本実施形態のライブプレゼンテーション入札システムにおける処理の概要について、図１を参照して説明する。
まず、図１においてライブプレゼンテーション入札サービス提供事業者により、Ｗｅｂサーバ３０は、通信回線４０上にライブでのプレゼンテーションを実施して入札を行うサービス事業を提供するホームページを公開する。
発注者Ａは、発注者端末１０から通信回線４０を介してＷｅｂサーバ３０にアクセスし、ユーザ認証サーバ３３への発注者の登録を行う。
【００５１】
ユーザ認証サーバ３３は、発注者端末１０に対して発注者としてのユーザＩＤとパスワードを送信する。発注者Ａは、発注者端末１０によりＷｅｂサーバ３０に対して、入札仕様情報を送信する。
送信された入札仕様情報は、Ｗｅｂサーバ３０により資料サーバ３２に蓄積され、Ｗｅｂサーバ３０は、発注者Ａの入札案内情報をホームページに掲載して、広く通信回線４０を通じて公開する。
受注者Ｂは、受注者端末２０により、通信回線４０を介して上記ホームページにアクセスし、掲載されている発注者Ａの入札情報を参照することができる。
【００５２】
入札情報を参照することにより、入札に参加しようとする受注者Ｂは、受注者端末２０により、通信回線４０を介してＷｅｂサーバ３０にアクセスし、ユーザ認証サーバ３３への受注者の登録を行う。
ユーザ認証サーバ３３は、受注者端末２０に対して受注者としてのユーザＩＤとパスワードを送信する。
受注者Ｂは、送信されてきたＩＤとパスワードを用いて、通信回線４０を介してＷｅｂサーバ３０にアクセスし、ユーザ認証サーバ３３の認証を得ることにより、発注者Ａの提示した入札仕様に対する応札を行うことができる。
この際、受注者Ｂは、上記ホームページにおいて提供される発注者Ａの入札ページに応札金額等を入力するとともに、発注者Ａに対するライブプレゼンテーションを予約する。
【００５３】
これに対して、Ｗｅｂサーバ３０は、発注者Ａの発注者端末１０に、受注者Ｂからの応札が会った旨の連絡，応札金額，ライブプレゼンテーションの予約日時等の応札情報を送信する。
また、受注者Ｂは、ライブプレゼンテーション時に用いるためのプレゼンテーション資料をＷｅｂサーバ３０に送信し、資料サーバ３２に登録する。
発注者Ａは、発注者端末１０により上記応札情報を受信すると、ライブプレゼンテーションの日時を確認し、問題がなければ、発注者端末１０により了解の確認を入力し、Ｗｅｂサーバ３０に送信する。
【００５４】
ライブプレゼンテーションの日時に、発注者Ａおよび受注者Ｂは、それぞれのユーザＩＤおよびパスワードを用いて、発注者端末１０および受注者端末２０により、Ｗｅｂサーバ３０に予約されたライブプレゼンテーションの予約項目から当該ライブプレゼンテーションを選択し、ライブプレゼンテーションサーバ３１にアクセスする。
アクセスした発注者端末１０および受注者端末２０に対して、ライブプレゼンテーションサーバ３１からライブプレゼンテーションに必要なアプリケーションソフトウェアが自動ダウンロードされて、それぞれにインストールされ、起動される。
【００５５】
ライブプレゼンテーションに必要なソフトウェアによって、受注者端末２０に接続されているカメラからの映像や、マイクからの音声は、通信回線４０を介して、ライブプレゼンテーションサーバ３１に送信される。
また、発注者端末１０からも同様に、発注者端末１０に接続されているカメラからの映像や、マイクからの音声が通信回線４０を介して、ライブプレゼンテーションサーバ３１に送信される。
そして、ライブプレゼンテーションサーバ３１では発注者端末１０と受注者端末２０から送信されてきた映像と音声を相互に交換し、発注者端末１０には受注者端末２０からの映像・音声を送信し、受注者端末２０には発注者端末１０からの映像・音声を送信する。
【００５６】
［ライブプレゼンテーション入札システムにおける処理手順］
次に、本実施形態のライブプレゼンテーション入札システムにおける処理手順について、図２〜図１５を参照して説明する。
図２，図３は、それぞれ本実施形態のライブプレゼンテーション入札システムにおけるライブプレゼンテーション予約処理手順１，ライブプレゼンテーション予約処理手順２を示す動作手順図である。図４，図５は、それぞれ同システムにおけるライブプレゼンテーション予約入力画面，ライブプレゼンテーション予約確認画面を示す図である。図６〜図９は、それぞれ同システムにおけるライブプレゼンテーション処理手順１，ライブプレゼンテーション処理手順２，ライブプレゼンテーション処理手順３，ライブプレゼンテーション処理手順４を示す動作手順図である。図１０，図１１は、それぞれ同システムにおける発注者用ライブプレゼンテーション画面，受注者用ライブプレゼンテーション画面を示す図である。図１２，図１３は、同システムにおける受注者決定処理手順１，受注者決定処理手順２を示す動作手順図である。図１４，図１５は、それぞれ同システムにおける受注者選択入力画面，受注者了解画面を示す図である。
なお、上記動作手順図において、点線により表示されている部分は、その装置を使用する人により行われる動作を示しており、本実施形態のライブプレゼンテーション入札システムの動作を示すものではないが、説明を明確にする観点から加えているものである。
また、以下において、発注者端末１０および受注者端末２０に対する情報の送受信は、一般にＷｅｂサーバ３０を介して行うことができるが、特に明示する必要がない場合には、これを省略している。もちろん、Ｗｅｂサーバ３０を介さず、他のサーバから直接送受信させるようにしてもよい。
【００５７】
＜１．ライブプレゼンテーション予約処理手順＞
まず、図２および図３を参照して、入札と、これに対する応札が行われ、ライブプレゼンテーションの予約が行われるまでのライブプレゼンテーション入札システムにおける処理について説明する。
Ｗｅｂサーバ３０は、ライブプレゼンテーション入札サービス事業者により、ライブプレゼンテーション入札サービスを提供するためのホームページ（以下、ライブプレゼンテーション入札ホームページと称する場合がある。）をインターネット上に公開し、一又は二以上の発注者端末１０に対して入札受付情報を提供して、発注者からの入札の募集を行う（ステップＡ１）。
【００５８】
次に、発注者端末１０は、入札を希望する発注者Ａにより、通信回線４０を介してＷｅｂサーバ３０にアクセスし、入札サービスを受けるための各種申込み情報（以下、入札登録情報と総称する場合がある。）を入力し、この入札登録情報をＷｅｂサーバ３０に送信する（ステップＡ２）。
これに対して、Ｗｅｂサーバ３０は、送信されてきた入札登録情報における入札内容情報を記憶して登録することにより入札を受け付けるとともに、この入札登録情報における発注者Ａの発注者情報をユーザ認証サーバ３３に送信する（ステップＡ３）。入札内容情報としては、例えば、入札内容の概要や、入札条件等を挙げることができる。発注者情報としては、例えば、会社名，会社概要，規模，所在地，登録者連絡先，入札サービス手数料支払い方法等を挙げることができる。
【００５９】
ユーザ認証サーバ３３は、発注者情報を受信すると、これを記憶して登録し（ステップＡ４）、登録された発注者Ａに対して、発注者ＩＤとパスワードを発行してＷｅｂサーバ３０に送信する（ステップＡ５）。
Ｗｅｂサーバ３０は、発注者端末１０にこの発注者ＩＤおよびパスワードを送信する（ステップＡ６）。
【００６０】
発注者端末１０は、Ｗｅｂサーバ３０から発注者ＩＤおよびパスワードを受信し、さらに、受注者に提供するための入札に関する仕様情報（以下、入札仕様情報と称する場合がある。）を資料サーバ３２に送信する（ステップＡ７）。
資料サーバ３２は、発注者端末１０から送信されてきた入札仕様情報を記憶して登録する（ステップＡ８）。
この入札仕様情報の登録は、このように発注者ＩＤ等の発行と連続して行うのみならず、後で行えるようにすることができることはいうまでもない。この場合、発注者端末１０は、発注者Ａにより発注者ＩＤとパスワードを、Ｗｅｂサーバ３０を介してユーザ認証サーバ３３に送信し、認証を受けた後に入札仕様情報を資料サーバ３２へ送信することができる。
【００６１】
一方、Ｗｅｂサーバ３０は、ステップＡ３により登録された入札内容情報をホームページ上に設定し、通信回線４０を介して一又は二以上の受注者端末２０に対し、入札内容情報にアクセス可能とすることによって、受注者の募集を行う（ステップＡ９）。
次に、受注者端末２０は、受注者Ｂにより、通信回線４０を介してライブプレゼンテーション入札ホームページにアクセスし、そこに掲載されている一又は二以上の発注者の入札内容情報を検索したり、閲覧することができる（ステップＡ１０）。
【００６２】
受注者端末２０は、受注者Ｂにより、参加したい入札に対して受注者としての登録情報（以下、受注者情報と称する場合がある。）をＷｅｂサーバ３０に送信することにより、入札参加申し込みを行う（ステップＡ１１）。
Ｗｅｂサーバ３０は、送信されてきた受注者情報をユーザ認証サーバ３３に送信し（ステップＡ１２）、ユーザ認証サーバ３３は、この受注者情報を記憶して登録する（ステップＡ１３）。
【００６３】
そして、ユーザ認証サーバ３３は、登録された受注者Ｂに対して、受注者ＩＤとパスワードを発行してＷｅｂサーバ３０に送信する（ステップＡ１４）。
Ｗｅｂサーバ３０は、受注者端末２０にこの受注者ＩＤおよびパスワードを送信する（ステップＡ１５）。
次に、受注者端末２０が、Ｗｅｂサーバ３０を介して資料サーバ３２に入札仕様情報の提示要求を送信すると（ステップＡ１６）、資料サーバ３２は、入札仕様情報を受注者端末２０に送信する（ステップＡ１７）。
これによって、受注者Ｂは、入札条件等について詳細に把握することができ、応札内容を決定することが可能となる。
【００６４】
次に、受注者端末２０は、受注者Ｂにより、自分が応札するための金額（以下、応札金額と称する場合がある。）や応札条件等の情報を有する応札内容情報と、ライブプレゼンテーションを行うための日時の予約情報（以下、予約情報と称する場合がある。）をＷｅｂサーバ３０に送信する（ステップＡ１８）。図４は、このような応札金額および予約情報を入力するためのライブプレゼンテーション予約入力画面の例を示す図である。
Ｗｅｂサーバ３０は、送信されてきた応札内容情報および予約情報を記憶して登録する（ステップＡ１９）。そして、発注者への連絡先を取得するために、この入札についての発注者情報の取得要求をユーザ認証サーバ３３に送信し（ステップＡ２０）、ユーザ認証サーバ３３は、発注者情報をＷｅｂサーバ３０に送信する（ステップＡ２１）。
【００６５】
そして、Ｗｅｂサーバ３０は、応札登録情報（応札内容情報＋受注者情報等）および予約情報を発注者端末１０に送信する（ステップＡ２２）。
発注者端末１０は、送信されてきた応答登録情報および予約情報を表示する（ステップＡ２３）。このとき、発注者端末１０は、メールなどにより応答登録情報および予約情報を受信して表示するほか、図５に示すようなライブプレゼンテーション予約確認画面を表示することによって、これらを表示することができる。これによって、発注者Ａは、応札者やその応札金額、ライブプレゼンテーションの予約日時等を確認することができる。
そして、発注者端末１０は、発注者Ａにより、Ｗｅｂからの切り離しを行う（ステップＡ２４）。
【００６６】
一方、受注者端末２０は、受注者Ｂにより、ライブプレゼンテーションに必要なプレゼンテーション資料を、Ｗｅｂサーバ３０を介して資料サーバ３２に送信する（ステップＡ２５）。
資料サーバ３２は、送信されてきたプレゼンテーション資料を記憶して登録する（ステップＡ２６）。
そして、受注者端末２０は、受注者Ｂにより、Ｗｅｂからの切り離しを行う（ステップＡ２７）。
【００６７】
＜２．ライブプレゼンテーション処理手順＞
次に、図６〜図９を参照して、ライブプレゼンテーションの予約後、ライブプレゼンテーションが行われるまでのライブプレゼンテーション入札システムにおける処理について説明する。
まず、Ｗｅｂサーバ３０は、Ｗｅｂ上でライブプレゼンテーション予約画面をホームページとしてアクセス可能な状態とする（ステップＢ１）。
発注者端末１０は、発注者Ａにより、Ｗｅｂサーバ３０にアクセスして、発注者ＩＤとパスワードを送信する（ステップＢ２）。
【００６８】
Ｗｅｂサーバ３０は、この発注者ＩＤとパスワードをユーザ認証サーバ３３に送信し（ステップＢ３）、ユーザ認証サーバ３３は、発注者の認証を実行して、その認証結果をＷｅｂサーバ３０に返却する（ステップＢ４）。
そして、Ｗｅｂサーバ３０は、認証結果が認証成功である場合、ライブプレゼンテーション予約画面を発注者端末１０に送信し（ステップＢ５）、認証結果が認証失敗である場合、認証が失敗したことを示す情報を発注者端末１０に送信する。
【００６９】
このライブプレゼンテーション予約画面は、発注者や受注者に対して、その予約情報を提供することのできるものであり、本実施形態の場合、発注者に対しては、例えば、図５に示すライブプレゼンテーション予約確認画面のような情報を提供し、受注者に対しては、例えば、図４に示すライブプレゼンテーション予約入力画面のような情報を提供する画面とすることができる。
発注者端末１０は、発注者Ａにより、ライブプレゼンテーション予約画面から予約されているプレゼンテーションを選択する。このとき、発注者端末１０は、例えば、図５に示すような画面を表示し、発注者Ａが、同図における「受注者Ｂ＊＊円  ３／２５  １０：００〜１１：００  有」の部分を押下すると、発注者端末１０は、この選択情報を入力して、Ｗｅｂサーバ３０に送信する（ステップＢ６）。
【００７０】
Ｗｅｂサーバ３０は、プレゼンテーション選択情報を受信すると、ライブプレゼンテーションサーバ３１に対し、発注者端末１０へのライブプレゼンテーション用ソフトウェアのダウンロード要求を送信する（ステップＢ７）。これに対して、ライブプレゼンテーションサーバ３１は、発注者端末１０へのライブプレゼンテーション用ソフトウェアの自動ダウンロードを実行する（ステップＢ８）。
このとき、発注者端末１０は、ライブプレゼンテーションサーバ３１からライブプレゼンテーション用ソフトウェアをダウンロードして（ステップＢ９）、このソフトウェアを起動する（ステップＢ１０）。
【００７１】
同様にして、受注者端末２０も以下のようにライブプレゼンテーションサーバ３１からライブプレゼンテーション用ソフトウェアをダウンロードして起動する。
すなわち、受注者端末２０は、受注者Ｂにより、Ｗｅｂサーバ３０にアクセスして、受注者ＩＤとパスワードを送信する（ステップＢ１１）。
Ｗｅｂサーバ３０は、この受注者ＩＤとパスワードをユーザ認証サーバ３３に送信し（ステップＢ１２）、ユーザ認証サーバ３３は、受注者の認証を実行して、その認証結果をＷｅｂサーバ３０に返却する（ステップＢ１３）。
そして、Ｗｅｂサーバ３０は、認証結果が認証成功である場合、ライブプレゼンテーション予約画面を受注者端末２０に送信し（ステップＢ１４）、認証結果が認証失敗である場合、認証が失敗したことを示す情報を受注者端末２０に送信する。
【００７２】
受注者端末２０は、受注者Ｂにより、ライブプレゼンテーション予約画面から予約されているプレゼンテーションを選択する。このとき、受注者端末２０は、例えば、図４に示すような画面を表示し、受注者Ｂが、同図における「受注者Ｂ＊＊円  ３／２５  １０：００〜１１：００  有」の部分を押下すると、受注者端末２０は、この選択情報を入力して、Ｗｅｂサーバ３０に送信する（ステップＢ１５）。
【００７３】
Ｗｅｂサーバ３０は、プレゼンテーション選択情報を受信すると、ライブプレゼンテーションサーバ３１に対し、受注者端末２０へのライブプレゼンテーション用ソフトウェアのダウンロード要求を送信する（ステップＢ１６）。これに対して、ライブプレゼンテーションサーバ３１は、受注者端末２０へのライブプレゼンテーション用ソフトウェアの自動ダウンロードを実行する（ステップＢ１７）。
このとき、受注者端末２０は、ライブプレゼンテーションサーバ３１からライブプレゼンテーション用ソフトウェアをダウンロードして（ステップＢ１８）、このソフトウェアを起動する（ステップＢ１９）。
【００７４】
このようにして、発注者端末１０と受注者端末２０において、ライブプレゼンテーション用ソフトウェアが起動すると、ライブプレゼンテーションサーバ３１ではライブプレゼンテーションの実行が可能になる
すなわち、受注者端末２０には、図１１に示すようなライブプレゼンテーション画面が表示され、受注者端末２０に接続されたカメラの映像およびマイク音声が、ライブプレゼンテーション用ソフトウェアによりライブプレゼンテーションサーバ３１に送信されるとともに（ステップＢ２０）、発注者端末１０には、同様に図１０に示すようなライブプレゼンテーション画面が表示され、発注者端末１０に接続されたカメラの映像およびマイク音声が、ライブプレゼンテーション用ソフトウェアによりライブプレゼンテーションサーバ３１に送信される（ステップＢ２１）。
そして、ライブプレゼンテーションサーバ３１は、受注者端末２０と発注者端末１０から送信されてくる映像および音声を相互に交換し、発注者端末１０には受注者端末２０からの映像・音声を送信するとともに、受注者端末２０には発注者端末１０からの映像・音声を送信する（ステップＢ２２）。
【００７５】
次に、発注者端末１０は、受注者端末２０から送信されてきた映像・音声を受信して表示し（ステップＢ２３）、受注者端末２０も、発注者端末１０から送信されてきた映像・音声を受信して表示する（ステップＢ２４）。
このように、発注者端末１０および受注者端末２０間で、ライブプレゼンテーションサーバ３１による映像・音声交換が行われてお互いの映像と音声がやりとりされ、発注者Ａに対する入札に対して受注者Ｂがライブでのプレゼンテーションを行うことが可能となる。
また、入札においてこのようなライブプレゼンテーションを可能とすることにより、発注者Ａは、受注者Ｂの一方的なプレゼンテーションを受けるだけではなく、そのプレゼンテーションに対する質問を行うことも可能となる。
【００７６】
次に、受注者Ｂがプレゼンテーションの途中で事前に資料サーバ３２に登録したプレゼンテーション資料を使う場合には、受注者端末２０は、受注者Ｂにより、Ｗｅｂサーバ３０に対してプレゼンテーション資料の提示要求を送信する（ステップＢ２５）。
Ｗｅｂサーバ３０は、受注者端末２０からプレゼンテーション資料表示要求が送信されてくると、資料サーバ３２にプレゼンテーション資料の提示要求を送信する（ステップＢ２６）。
資料サーバ３２は、要求されたプレゼンテーション資料をライブプレゼンテーションサーバ３１に送信する（ステップＢ２７）。
【００７７】
そして、ライブプレゼンテーションサーバ３１は、プレゼンテーション資料を発注者端末１０および受注者端末２０に送信し（ステップＢ２８）、発注者端末１０および受注者端末２０は、それぞれ受信したプレゼンテーション資料を表示する（ステップＢ２９，Ｂ３０）。図１０および図１１において、「資料画面」は、このプレゼンテーション資料を表示するようすを示している。
このようにして、受注者Ｂは、発注者端末１０および受注者端末２０において同様に表示されたプレゼンテーション資料を参照しながらプレゼンテーションを行うことができる。
【００７８】
そして、プレゼンテーション資料と同時に、受注者端末２０に接続されたカメラの映像およびマイク音声が、上述のようにプレゼンテーション用ソフトウェアによって、ライブプレゼンテーションサーバ３１に送信される（ステップＢ３１）。
また、発注者端末１０からの映像・音声もライブプレゼンテーションサーバ３１に送信され、発注者端末１０および受注者端末２０からの映像・音声の交換が行われて、それぞれ互いの映像・音声がライブプレゼンテーション画面に出力されることは、ステップＢ２１〜ステップＢ２４の説明において上述した内容と同様である（ステップＢ３２〜ステップＢ３５）。
【００７９】
また、発注者端末１０において表示されるライブプレゼンテーション画面には、図１０に示すように、受注者Ｂのライブ映像やプレゼンテーション資料が表示されるとともに、受注者Ｂの受注者情報なども表示される。
これらの表示処理については、図８，図９の動作手順図においては省略しているが、Ｗｅｂサーバ３０が、ライブプレゼンテーションサーバ３１から映像・音声を受信するとともに、資料サーバ３２およびユーザ認証サーバ３３において管理されている上記各情報を取得して、ライブプレゼンテーション画面上に出力することにより行うことが可能である。
また、ライブプレゼンテーション画面を上述のライブプレゼンテーション用ソフトウェアにより表示させ、ライブプレゼンテーションサーバ３１から直接発注者端末１０，受注者端末２０に映像・音声を送信等させるとともに、ライブプレゼンテーションサーバ３１が資料サーバ３２およびユーザ認証サーバ３３において管理されている上記各情報を取得して、発注者端末１０，受注者端末２０に送信することで実現することもできる。
発注者端末１０にこのようなライブプレゼンテーション画面を表示させることによって、発注者Ａは、この画面を参照して総合的に受注者を決定するための情報を得ることができる。
【００８０】
また、受注者端末２０において表示されるライブプレゼンテーション画面には、図１１に示すように、発注者Ａのライブ映像やプレゼンテーション資料が表示されるとともに、発注者Ａが事前に登録した入札内容情報なども表示される。この表示についても、発注者端末１０の場合と同様に、Ｗｅｂサーバ３０を介することなどにより実行することが可能である。
受注者端末２０にこのようなライブプレゼンテーション画面を表示させることによって、受注者Ｂは、プレゼンテーションをしながら入札条件を確認したりすることができる。
【００８１】
このように、本実施形態のライブプレゼンテーション入札システムによれば、同じ資料画面を発注者端末１０および受注者端末２０上に表示して、発注者Ａと受注者Ｂに双方向での映像・音声によるコミュニケーションを可能とすることができるため、受注者Ｂは、発注者Ａの行った入札に対して、資料を用いながら、詳細なプレゼンテーションを行うことができ、受注者Ａも応札内容をより正確かつ詳細に把握することが可能となる。
【００８２】
次に、受注者Ｂのプレゼンテーションが終了し、発注者Ａとの質疑応答も完了すると、受注者Ｂにより、受注者端末２０は、プレゼンテーションを終了する旨を、ライブプレゼンテーションサーバ３１を介して映像・音声をもって発注者端末１０に送信し、発注者Ａに連絡する（ステップＢ３６）。
発注者端末１０は、このプレゼンテーションを終了する旨を受信し、発注者Ａは、受注者Ｂからのプレゼンテーションを終了する旨を映像・音声により確認する（ステップＢ３７）。
次に、受注者端末２０は、受注者Ｂにより、プレゼンテーション終了要求をＷｅｂサーバ３０に送信し（ステップＢ３８）、発注者端末１０は、発注者Ａにより、プレゼンテーションを受けることの終了要求をＷｅｂサーバ３０に送信する（ステップＢ３９）。
【００８３】
Ｗｅｂサーバ３０は、受注者端末２０および発注者端末１０からプレゼンテーション終了要求が送信されてきたことを確認すると、ライブプレゼンテーションサーバ３１に当該ライブプレゼンテーションの終了要求を送信する（ステップＢ４０）。これに対して、ライブプレゼンテーションサーバ３１は、当該ライブプレゼンテーションの映像・音声の交換を停止する（ステップＢ４１）。
そして、発注者端末１０および受注者端末２０は、Ｗｅｂとの接続を解除する（ステップＢ４２，Ｂ４３）。
このようにして、発注者Ａは、応札してきた受注者Ｂにより提示された応札金額およびプレゼンテーション資料に加え、通信回線４０を介して受注者Ｂにより行われたライブプレゼンテーションをもとに応札内容を評価したうえで、受注者Ｂに発注するかどうかを判断することが可能となる。
【００８４】
＜３．受注者決定処理手順＞
次に、図１２および図１３を参照して、発注者により、発注対象の受注者が決定されるまでのライブプレゼンテーション入札システムにおける処理について説明する。
まず、Ｗｅｂサーバ３０は、Ｗｅｂ上で受注者選択入力画面および受注者了解画面をホームページとしてアクセス可能な状態とする（ステップＣ１）。
発注者端末１０は、発注者Ａにより、Ｗｅｂサーバ３０にアクセスして、発注者ＩＤとパスワードを送信する（ステップＣ２）。
【００８５】
Ｗｅｂサーバ３０は、この発注者ＩＤとパスワードをユーザ認証サーバ３３に送信し（ステップＣ３）、ユーザ認証サーバ３３は、発注者の認証を実行して、その認証結果をＷｅｂサーバ３０に返却する（ステップＣ４）。
そして、Ｗｅｂサーバ３０は、認証結果が認証成功である場合、受注者選択入力画面を発注者端末１０に送信し（ステップＣ５）、認証結果が認証失敗である場合、認証が失敗したことを示す情報を発注者端末１０に送信する。
【００８６】
この受注者選択入力画面は、入札案件への応札者の中から発注対象とする受注者を選択し、決定するための画面であり、例えば、図１４に示すようなものとすることができる。
発注者Ａは、受注者を選択するにあたって、受注者選択入力画面に表示された受注者の一覧から、応札金額や、プレゼンテーションの内容等を踏まえた総合的判断を行うことにより受注者を選択して、画面上から発注入力を行うことができる。
【００８７】
発注者端末１０は、発注者Ａにより、受注者選択入力画面から受注者の選択入力を行って、この選択情報をＷｅｂサーバ３０に送信する（ステップＣ６）。
Ｗｅｂサーバ３０は、送信されてきた受注者を発注先として記憶するとともに、受注者情報の取得要求をユーザ認証サーバ３３に送信する（ステップＣ７）。
ユーザ認証サーバ３３は、要求された受注者情報をＷｅｂサーバ３０に送信する（ステップＣ８）。
そして、Ｗｅｂサーバ３０は、発注先として決定された受注者に、受注できたことを知らせる受注確定連絡を送信し（ステップＣ９）、受注者端末２０は、これを受信する（ステップＣ１０）。
【００８８】
次に、受注者端末２０は、受注者Ｂにより、Ｗｅｂサーバ３０にアクセスして、受注者ＩＤとパスワードを送信する（ステップＣ１１）。
Ｗｅｂサーバ３０は、この受注者ＩＤとパスワードをユーザ認証サーバ３３に送信し（ステップＣ１２）、ユーザ認証サーバ３３は、受注者の認証を実行して、その認証結果をＷｅｂサーバ３０に返却する（ステップＣ１３）。
そして、Ｗｅｂサーバ３０は、認証結果が認証成功である場合、受注者了解画面を受注者端末２０に送信し（ステップＣ１４）、認証結果が認証失敗である場合、認証が失敗したことを示す情報を受注者端末２０に送信する。
【００８９】
この受注者了解画面は、入札案件への応札者の中から発注対象とする受注者を選択し、決定するための画面であり、例えば、図１５に示すようなものとすることができる。この受注者了解画面には、受注確定者の情報が表示されている。受注者Ｂが、その受注確定に対し、了解の回答を入力することで、発注者と受注者の双方の了解を得ることができる。
受注者端末２０は、受注者Ｂにより、受注者了解画面から受注了解の確認情報を入力し、これをＷｅｂサーバ３０に送信する（ステップＣ１５）。
【００９０】
Ｗｅｂサーバ３０は、この確認情報を受信すると、受注者の了解があったことを示す受注者了解情報を記憶して登録し（ステップＣ１６）、発注者と受注者の双方の了解が得られたことを示す発注・受注了解連絡を発注者端末１０および受注者端末２０に送信し（ステップＣ１７）、発注者端末１０および受注者端末２０は、これを受信する（ステップＣ１８，Ｃ１９）。
そして、発注者端末１０および受注者端末２０は、それぞれ発注者Ａ、受注者Ｂにより、Ｗｅｂからの切り離しを行う（ステップＣ２０，Ｃ２１）。
【００９１】
以上説明したように、本実施形態のライブプレゼンテーション入札システムによれば、通信回線を介した入札において、受注者による発注者に対するライブプレゼンテーションを実現することが可能となる。
すなわち、本システムを利用することにより、発注者は金額や資料だけで受注者を決定するのではなく、受注者の行うライブプレゼンテーションと直接の質疑応答を踏まえて、最良な受注者を決定することが可能となる。
【００９２】
また、このようなライブプレゼンテーションを実現することによって、発注者と受注者のコミュニケーションを即座に確立することが可能となる。
従来の入札システムにおいて、入札に伴う資料の提示やメールのやりとりは、発注者と受注者の間で時間的な差が生じるものであった。
しかし、本システムによれば、発注者と受注者がライブでコミュニケーションを取ることができるため、発注者が受注者を選択するにあたって重要になる受注者の提案に対する質問などを即座に行うことが可能となる。
【００９３】
上記の実施形態におけるライブプレゼンテーション予約情報の登録や、映像・音声の交換等は、ライブプレゼンテーション入札プログラムにより実行される。
このライブプレゼンテーション入札プログラムは、コンピュータの各構成要素に指令を送り、所定の処理、例えば、ライブプレゼンテーション予約情報の登録処理や、映像・音声の交換処理等を行わせる。
これによって、これらの処理は、ライブプレゼンテーション入札プログラムとコンピュータとが協働した入札サービス提供装置などにより実現される。
【００９４】
なお、ライブプレゼンテーション入札プログラムは、コンピュータのＲＯＭやハードディスクに記憶させる他、コンピュータ読み取り可能な記録媒体、たとえば、外部記憶装置および可搬記録媒体等に格納することができる。
外部記憶装置とは、磁気ディスク等の記録媒体を内蔵し、例えば入札サービス提供装置などに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【００９５】
そして、記録媒体に記録されたプログラムは、コンピュータのＲＡＭにロードされて、ＣＰＵにより実行される。この実行により、上述した本実施形態の入札サービス提供装置の機能が実現される。
さらに、コンピュータでライブプレゼンテーション入札プログラムをロードする場合、他のコンピュータで保有されたライブプレゼンテーション入札プログラムを、通信回線を利用して自己の有するＲＡＭや外部記憶装置にダウンロードすることもできる。
このダウンロードされたライブプレゼンテーション入札プログラムも、ＣＰＵにより実行され、本実施形態のライブプレゼンテーション予約情報の登録処理や、映像・音声の交換処理等を実現する。
【００９６】
なお、本発明は以上の実施形態に限定されるものではなく、本発明の範囲内において、種々の変更実施が可能であることは言うまでもない。
例えば、上記実施形態における各サーバにおいて管理するデータの切り分けを変更したり、あるいは、サーバを統合等したりするなど適宜変更することが可能である。
【００９７】
【発明の効果】
以上のように、本発明によれば、通信回線を介した入札において、受注者は、発注者に対して応札金額や資料等を提示するのみならず、ライブプレゼンテーションを行うことができるため、入札に対する自己の提案を直接訴えることが可能になる。
また、発注者にとっても、受注者のプレゼンテーションを直接聞くことによって、応札金額や資料等には表れない受注者の意志を把握することができるとともに、相互の質疑応答を行うことによって、入札仕様や応札提案に対する両者の思い込みや、理解の違いを明確化することもでき、最良な受注者を決定することが可能となる。
【００９８】
さらに、ライブプレゼンテーション入札サービス提供事業者は、受注が確定すると、発注者Ａおよび受注者Ｂから、ライブプレゼンテーション入札に参加した手数料を徴収してサービス事業として運営することが可能となる。
また、ライブプレゼンテーション入札プログラムは、コンピュータの各構成要素へ所定の指令を送ることにより、このライブプレゼンテーション予約情報の登録機能や、映像・音声の交換機能等を実現させることができる。
これによって、これらの機能等は、ライブプレゼンテーション入札プログラムとコンピュータとが協働した入札サービス提供装置により実現可能である。
【図面の簡単な説明】
【図１】本発明の実施形態のライブプレゼンテーション入札システムの構成を示すブロック図である。
【図２】本発明の第一実施形態のライブプレゼンテーション入札システムにおけるライブプレゼンテーション予約処理手順１を示す動作手順図である。
【図３】本発明の第一実施形態のライブプレゼンテーション入札システムにおけるライブプレゼンテーション予約処理手順２を示す動作手順図である。
【図４】本発明の第一実施形態のライブプレゼンテーション入札システムにおけるライブプレゼンテーション予約入力画面を示す図である。
【図５】本発明の第一実施形態のライブプレゼンテーション入札システムにおけるライブプレゼンテーション予約確認画面を示す図である。
【図６】本発明の第一実施形態のライブプレゼンテーション入札システムにおけるライブプレゼンテーション処理手順１を示す動作手順図である。
【図７】本発明の第一実施形態のライブプレゼンテーション入札システムにおけるライブプレゼンテーション処理手順２を示す動作手順図である。
【図８】本発明の第一実施形態のライブプレゼンテーション入札システムにおけるライブプレゼンテーション処理手順３を示す動作手順図である。
【図９】本発明の第一実施形態のライブプレゼンテーション入札システムにおけるライブプレゼンテーション処理手順４を示す動作手順図である。
【図１０】本発明の第一実施形態のライブプレゼンテーション入札システムにおける発注者用ライブプレゼンテーション画面を示す図である。
【図１１】本発明の第一実施形態のライブプレゼンテーション入札システムにおける受注者用ライブプレゼンテーション画面を示す図である。
【図１２】本発明の第一実施形態のライブプレゼンテーション入札システムにおける受注者決定処理手順１を示す動作手順図である。
【図１３】本発明の第一実施形態のライブプレゼンテーション入札システムにおける受注者決定処理手順２を示す動作手順図である。
【図１４】本発明の第一実施形態のライブプレゼンテーション入札システムにおける受注者選択入力画面を示す図である。
【図１５】本発明の第一実施形態のライブプレゼンテーション入札システムにおける受注者了解画面を示す図である。
【図１６】従来の入札システムの構成を示すブロック図である。
【符号の説明】
１０  発注者端末
１１  カメラ
１２  マイク
１３  スピーカ
２０（２０−１〜２０−ｎ）  受注者端末
２１（２１−１〜２１−ｎ）  カメラ
２２（２２−１〜２２−ｎ）  マイク
２３（２３−１〜２３−ｎ）  スピーカ
３０  Ｗｅｂサーバ
３１  ライブプレゼンテーションサーバ
３２  資料サーバ
３３  ユーザ認証サーバ
４０  通信回線
１００  発注者端末
２００（２００−１〜２００−ｎ）  受注者端末
３００  Ｗｅｂサーバ
３０１  資料サーバ
３０２  ユーザ認証サーバ
４００  通信回線
【図１】
2004326669.tif 000003
【図２】
2004326669.tif 000004
【図３】
2004326669.tif 000005
【図４】
2004326669.tif 000006
【図５】
2004326669.tif 000007
【図６】
2004326669.tif 000008
【図７】
2004326669.tif 000009
【図８】
2004326669.tif 000010
【図９】
2004326669.tif 000011
【図１０】
2004326669.tif 000012
【図１１】
2004326669.tif 000013
【図１２】
2004326669.tif 000014
【図１３】
2004326669.tif 000015
【図１４】
2004326669.tif 000016
【図１５】
2004326669.tif 000017
【図１６】
2004326669.tif 000018